(57)【特許請求の範囲】
【請求項１】
取付穴に埋め込まれて設置される埋込型照明器具であって、
光を出射させる開口部と、放熱部とを前面側に設けた器具本体と、
前記放熱部の後面側に設置されるＬＥＤ光源部と、
前記ＬＥＤ光源部から照射された光を反射させ、前記開口部から出射させる反射部と、
透光性を有し、前記器具本体の前記開口部側と内側とを仕切るパネルと、
を備えたことを特徴とする埋込型照明器具。
【請求項２】
請求項１に記載の埋込型照明器具であって、
前記反射部は、
前記ＬＥＤ光源部から照射された光を反射させる第１反射部と、
前記第１反射部からの反射光を反射させて前記開口部から出射させる第２反射部と、
を備え、
前記パネルは、前記ＬＥＤ光源部から照射された前記光の反射光を前記第２反射部に向けて透過させる、
ことを特徴とする埋込型照明器具。
【請求項３】
請求項２に記載の埋込型照明器具であって、
前記ＬＥＤ光源部と前記第１反射部とが設けられる保持体を更に備え、
前記保持体は、前記ＬＥＤ光源部が前記放熱部の後面側に接触するように、前記器具本体の後面側から前記器具本体に取り付けられる、ことを特徴とする埋込型照明器具。
【発明の詳細な説明】
【技術分野】
【０００１】
本発明は、埋込型照明器具に関する。
【背景技術】
【０００２】
従来、天井や壁面等の取付面に形成された取付穴に埋め込まれて設置される埋込型照明器具が知られている。埋込型照明器具は、ダウンライトやウォールウォッシャー、フットライト等の種々の機種がある。取付面である天井や壁面の内部には、構造材や断熱材が設置されているため、これらに干渉しにくいように埋込型照明器具の厚みはできるだけ薄いことが好ましい。
【０００３】
ところで近年、埋込型照明器具の光源部として、ＬＥＤ（発光ダイオード）を用いたものが開発されている。ＬＥＤの寿命は温度によって大きく左右される。このため、ＬＥＤで発生した熱を効率良く放熱するための放熱構造の技術が開発されている（例えば、特許文献１）。
【０００４】
しかしながら、特許文献１の埋込型照明器具のように、器具本体の内部に放熱部を設けた場合、放熱部の周囲に所定の空間（クリアランス）を設ける必要がある。このため、器具本体の内部に放熱部を設けた場合は放熱部の高さに加えてクリアランスの高さ分だけ埋込型照明器の厚みが厚くなるという問題がある。
【０００５】
また、ＬＥＤの光は直進性が高いため、ＬＥＤから直接照射された光が目に入ると眩しさを感じるという問題もある。
【先行技術文献】
【特許文献】
【０００６】
【特許文献１】特開２００４−１８６１０５号公報
【発明の概要】
【発明が解決しようとする課題】
【０００７】
本発明は、上記の問題を解決すべくなされたものである。本発明の第１の目的は、ＬＥＤで発生した熱を効率良く放熱する構造により、厚みを薄くした埋込型照明器具を提供することである。本発明の第２の目的は、出射する光の全てを反射光とすることにより眩しさを感じることの少ない埋込型照明器具を提供することである。
【課題を解決するための手段】
【０００８】
本発明の解決しようとする課題は以上の如くであり、次にこの課題を解決するための手段を説明する。
【０００９】
即ち、第１の発明は、取付穴に埋め込まれて設置される埋込型照明器具であって、器具本体と、ＬＥＤ光源部と、反射部と、パネルとを備える。
器具本体は、光を出射させる開口部と、放熱部とを前面側に設ける。ＬＥＤ光源部は、前記放熱部の後面側に設置される。反射部は、前記ＬＥＤ光源部から照射された光を反射させ、前記開口部から出射させる。パネルは、透光性を有し、前記器具本体の前記開口部側と内側とを仕切る。
【００１０】
第２の発明は、第１の発明であって、前記反射部は、前記ＬＥＤ光源部から照射された光を反射させる第１反射部と、前記第１反射部からの反射光を反射させて前記開口部から出射させる第２反射部と、を備え、前記パネルは、前記ＬＥＤ光源部から照射された前記光の反射光を前記第２反射部に向けて透過させる。
【００１１】
第３の発明は、第２の発明であって、前記ＬＥＤ光源部と前記第１反射部とが設けられる保持体を更に備え、前記保持体は、前記ＬＥＤ光源部が前記放熱部の後面側に接触するように、前記器具本体の後面側から前記器具本体に取り付けられる。
【発明の効果】
【００１２】
本発明の効果として、以下に示すような効果を奏する。
【００１３】
第１の発明によれば、器具本体の前面側に放熱部を設けており、放熱部の前面は空間であるため、放熱部の周囲に別途のクリアランスを設ける必要がない。このため、埋込型照明器具の厚みを薄くすることができる。また、ＬＥＤ光源部からの光を反射部で反射させた反射光を開口部から出射するため、眩しさを感じさせにくくすることができる。
【００１４】
第２の発明によれば、ＬＥＤ光源部からの光を第１反射部と第２反射部で反射させた反射光を開口部から出射するため、更に眩しさを感じさせにくくすることができる。
【００１５】
第３の発明によれば、ＬＥＤ光源部は放熱部の後面側に接触させて設置されるため、本来組み立てにくい位置に設置されているが、ＬＥＤ光源部は保持体に設けられ、保持体ごと器具本体の後面側から器具本体に取り付けられるため、組立性がよく、組立コストを低減させることができる。また、ＬＥＤ光源部を交換する場合は、保持体ごと器具本体から取り外すことができるため、交換が容易である。
【図面の簡単な説明】
【００１６】
【図１】本発明の実施形態に係る埋込型照明器具１１の斜視図。
【図２】図１のＡ−Ａ線の位置において埋込型照明器具１１を切断した断面図。
【図３】埋込型照明器具１１の前面側を示す図。
【図４】（Ａ）保持体３１の前面側を示す図（Ｂ）保持体３１を保持体開口部３３側から見た状態を示す図。
【図５】（Ａ）保持体３１の前面側にＬＥＤ光源部５０を取り付けた状態を示す図（Ｂ）保持体３１の前面側にＬＥＤ光源部５０を取り付け、保持体開口部３３側から見た状態を示す図。
【図６】器具主体２２の保持体設置部２９に保持体３１を取り付ける状態を示す図。
【発明を実施するための形態】
【００１７】
本発明の第１の実施形態に係る埋込型照明器具１１について、図１から図６を用いて説明する。本実施形態に係る埋込型照明器具１１は、例えば天井に形成された取付穴に埋め込んで設置されて壁面を照らすウォールウォッシャーとして使用されたり、壁面に設置されて床面を照らすフットライトとして使用される兼用型である。以下の説明では、埋込型照明器具１１の前面側は光を照射する側とし、後面側は前面側の反対側として説明する。埋込型照明器具１１は、図１、２に示すように、主に器具本体２１、保持体３１、ＬＥＤ光源部５０、取付バネ６１を有している。
【００１８】
図２に示すように、器具本体２１は、埋込型照明器具１１の本体を形成するものであり、器具主体２２と蓋部２３とを有している。器具主体２２は、熱伝導性を有するアルミニウム等の金属素材を用いて形成されている。器具主体２２の前面側には、放熱部２４と、開口部２５と、フランジ２６とが形成されている。後面側には、略角筒状の側壁部２７を備えている。
【００１９】
放熱部２４は、ＬＥＤ光源部５０で発生した熱を伝えて外部に放出する放熱構造を構成する。詳細は後述するが、放熱部２４の後面側にはＬＥＤ光源部５０が配置される構成となっており、ＬＥＤ光源部５０で発生した熱を外部に伝えて放熱する。放熱部２４の後面側は、ＬＥＤ光源部５０との接触面積が広くなる形状に形成される。本実施形態では、放熱部２４の後面側は平坦に形成されており、放熱部２４が板状に形成されている。また、放熱部２４は器具主体２２の前面側に形成されることから、埋込型照明器具１１を取付穴に設置した状態において外部（例えば室内空間など光を照射する空間）に露出する。つまり、設置された状態で視認される部分である埋込型照明器具１１の意匠面の一部を構成する。
【００２０】
開口部２５は、ＬＥＤ光源部５０で発生した光を器具本体２１の内側で反射させた後、反射光として出射する部分である。フランジ２６は、埋込型照明器具１１を取付穴に設置した状態で取付穴の周囲に接触する部分であり、放熱部２４及び開口部２５の外周縁部に形成されている。埋込型照明器具１１が取付穴に設置される際には、フランジ２６と取付穴の周囲との間にパッキン３０が介設され、埋込型照明器具１１と取付穴の周囲との間の気密性を保っている。
【００２１】
側壁部２７は、内側に後記説明する保持体３１とパネル４１が設置されるとともに、第２反射部２８が形成されている部分である。保持体３１を設置する部分は、側壁部２７の内側であって、放熱部２４の後面側である。保持体３１が設置される位置には保持体設置部２９が形成される。
【００２２】
パネル４１は、透光性を有する樹脂素材等で形成されており、保持体設置部２９と第２反射部２８との間に設置される。パネル４１は、ＬＥＤ光源部５０から照射された光の反射光を第２反射部２８に向けて透過させる部材である。また、パネル４１の周囲にはパッキン（図示省略）が装着されており、器具主体２２の開口部２５側と器具主体２２の内側とを仕切ることで埋込型照明器具１１を設置した状態における防塵性と気密性とを向上させている。
【００２３】
第２反射部２８は、ＬＥＤ光源部５０から照射された光を反射させる反射部を構成するものである。第２反射部２８は、パネル４１を透過したＬＥＤ光源部５０からの光を開口部２５に向けて反射させ、開口部２５から出射させる。第２反射部２８の断面形状は、開口部２５から出射させる光の配光方向が器具本体２１に対して斜め方向となり、かつ略均一に拡散するように形成されている。
【００２４】
保持体３１は、ＬＥＤ光源部５０と、第１反射部３２を器具主体２２に取り付けるための部材である。図２、図３、図４に示すように、保持体３１の前面側には、ＬＥＤ光源部５０を取り付けるための光源用孔部３４と、基板収容部３５が設けられている。保持体３１の内側には、第１反射部３２が設けられている。第１反射部３２は、ＬＥＤ光源部５０から照射された光を反射させる反射部を構成する。ＬＥＤ光源部５０の光源であるＬＥＤ素子５２は点光源であるため、第１反射部３２の形状は、光が広がりながら保持体開口部３３に向けて照射されるよう、光源用孔部３４から保持体開口部３３に向けて漸次拡開した形状とされる。
【００２５】
埋込型照明器具１１を点灯させた状態では、ＬＥＤ光源部５０からの照射される光は、反射部を構成する第１反射部３２と第２反射部２８に向けて照射される。第１反射部３２からの反射光は、保持体開口部３３を通して第２反射部２８と開口部２５に向けて照射され、第２反射部２８からの反射光は開口部２５から出射される。第１反射部３２で反射した光の一部は、更に第２反射部２８に反射してから開口部２５より出射されるため、光が柔らかくなり、眩しさを感じさせにくくすることができる。
【００２６】
図４Ａに示すように、保持体３１の前面側には、基板収容部３５から両側に向けて電線用溝３６が形成される。電線用溝３６はＬＥＤ光源部５０の電線を収容する（図５参照。）。保持体３１の両側には、電線用溝３６に連続して電線用凹部３７が形成されている。電線用凹部３７は、電線用溝３６に収容したＬＥＤ光源部５０の電線を保持体３１の後面側に向けて配置するためのものである（図５参照。）。保持体３１の両側の固定部３８は、保持体３１を器具主体２２の保持体設置部２９に固定するためのネジ穴である。
【００２７】
ＬＥＤ光源部５０は、基板５１上に光源としてのＬＥＤ素子５２が実装されたものである。本実施形態のＬＥＤ素子５２は１個であるが、ＬＥＤ素子５２の数を限定するものではない。ＬＥＤ光源部５０を保持体３１に取り付ける場合は、図５に示すように、ＬＥＤ素子５２が光源用孔部３４を通して保持体３１の内側（後面側）に向けて取り付けられるようにする。このとき、基板５１は保持体３１の前面側の面と面一か、若干突出した状態で基板収容部３５に収容されることが好ましい（図５Ｂ参照。）。このようにすることで、保持体３１を器具主体２２に取り付けた状態で、ＬＥＤ光源部５０からの熱を放熱部２４に効率よく伝え放熱することができる。ＬＥＤ光源部５０の電線５５は、電線用溝３６と電線用凹部３７に収容されて保持体３１の後面側に向けて配置され、保持体３１の前面側の面には突出しないものとする。
【００２８】
器具主体２２の後面側には、ＬＥＤ光源部５０の光源であるＬＥＤ素子５２を点灯させる点灯装置５３が設けられている。点灯装置５３とＬＥＤ光源部５０は電線（図示せず）によって電気的に接続される。器具主体２２の後面側は、金属板で形成された蓋部２３が固定されて閉塞されている。蓋部２３の外側には端子台５４が設置されている。端子台５４と点灯装置５３は、蓋部２３を貫通する電線（図示せず）によって電気的に接続されている。端子台５４には、外部電源からの電線（図示せず）が電気的に接続される。
【００２９】
取付バネ６１は、天井等の取付穴に埋込型照明器具１１を固定する固定手段である。器具主体２２の対向する位置に一対配設され、フランジ２６の上方から斜め上方に向けて形成される。取付バネ６１は、ステンレス素材等で形成された金属板を屈曲させて形成されている。尚、取付バネ６１の形状、取付位置、本数等については、本実施例のものに限定されない。
【００３０】
次に、埋込型照明器具１１を構成する各部材の組み付けのうち、保持体３１を器具主体２２に取り付ける場合について説明する。図６に示すように、保持体３１には、前述のようにＬＥＤ光源部５０が取り付けられており、ＬＥＤ光源部５０からの電線は、保持体３１の後面側に向けて配置されているものとする。保持体３１の前面側の面には、ＬＥＤ光源部５０に接するように熱伝導シート３９を貼着する。
【００３１】
次に、保持体３１を器具主体２２の後面側から器具主体２２の保持体設置部２９に向けて取り付ける。このとき、ＬＥＤ光源部５０が熱伝導シート３９を介して放熱部２４の後面側に接触するようにする。固定部３８とネジを用いて、保持体３１を器具主体２２の保持体設置部２９に固定する。ＬＥＤ光源部５０の電線は、保持体３１の後面側に向けて配置されているため、この電線を点灯装置５３に接続すれば、保持体３１を器具主体２２に取り付ける作業が完了する。
【００３２】
以上説明した本実施形態に係る埋込型照明器具１１によれば、次のような効果を有する。
【００３３】
第１の発明によれば、器具主体２２の前面側に放熱部２４を設けており、放熱部２４の前面は空間であるため、放熱部２４の周囲に別途のクリアランスを設ける必要がない。このため、埋込型照明器具１１の厚みを薄くすることができる。また、ＬＥＤ光源部５０からの光を第１反射部３２と第２反射部２８で反射させた反射光を開口部２５から出射するため、眩しさを感じさせにくくすることができる。
【００３４】
ＬＥＤ光源部５０は放熱部２４の後面側に接触させて設置されるため、本来組み立てにくい位置に設置されているが、ＬＥＤ光源部５０は保持体３１に設けられ、保持体３１ごと器具主体２２の後面側から器具主体２２に取り付けられるため、組立性がよく、組立コストを低減させることができる。また、ＬＥＤ光源部５０を交換する場合は、保持体３１ごと器具主体２２から取り外すことができるため、交換が容易である。
【００３５】
放熱部２４は板状であるため、放熱部２４自体の厚みを薄くすることができる。また、ＬＥＤ光源部５０を器具主体２２の後面側に向けて設けるため、器具主体２２を薄くしても配置することができる。このため、埋込型照明器具１１の厚みを薄くすることができる。
【００３６】
開口部２５から出射させる光の配光方向を器具主体２２に対して斜め方向としたため、ウォールウォッシャーとフットライトのいずれにも使用できる埋込型照明器具１１とすることができる。
【００３７】
以上、本発明の実施形態について説明したが、本発明は上記実施例に限定されるものではなく、様々な変更が可能である。例えば、埋込型照明器具１１は角型としたが、丸型やその他の形状としてもよい。
【００３８】
ＬＥＤ光源部５０は、器具主体２２の後面側に向けて設けたが、これに限定されず異なる方向に向けて設けてもよい。
【００３９】
放熱部２４は板状に形成したが、これに限定されず、ＬＥＤ光源部５０の熱を効率よく放熱できる形状であればよい。また、放熱部２４は埋込型照明器具１１の意匠面の一部を構成するため、放熱部２４の形状は埋込型照明器具１１のデザインに応じて変更可能である。
【符号の説明】
【００４０】
１１    埋込型照明器具
２１    器具本体
２２    器具主体
２３    蓋部
２４    放熱部
２５    開口部
２６    フランジ
２７    側壁部
２８    第２反射部
２９    保持体設置部
３０    パッキン
３１    保持体
３２    第１反射部
３３    保持体開口部
３４    光源用孔部
３５    基板収容部
３６    電線用溝
３７    電線用凹部
３８    固定部
３９    熱伝導シート
４１    パネル
５０    ＬＥＤ光源部
５１    基板
５２    ＬＥＤ素子
５３    点灯装置
５４    端子台
５５    電線
６１    取付バネ
【図１】
0005757781.tif 000002
【図２】
0005757781.tif 000003
【図３】
0005757781.tif 000004
【図４】
0005757781.tif 000005
【図５】
0005757781.tif 000006
【図６】
0005757781.tif 000007